【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
デバイス白色点の白色点データを入力する入力手段と、
前記白色点データが示す白色点を色度図上の所定の曲線に投影した投影白色点を計算する投影手段と、
前記投影白色点と前記曲線上の所定の白色点の間の、前記曲線上に位置する点を部分順応白色点として算出する算出手段と、
前記投影手段による前記デバイス白色点の移動分を示す投影量に基づき、前記部分順応白色点を補正する補正手段とを有することを特徴とする色処理装置。
【請求項２】
デバイス白色点の白色点データ、および、環境光の白色点データを入力する入力手段と、
前記白色点データが示す白色点を色度図上の所定の曲線に投影した投影白色点を計算する投影手段と、
前記デバイス白色点に対応する投影白色点、前記環境光に対応する投影白色点、および、前記曲線上の所定の白色点の間の、前記曲線上に位置する点を部分順応白色点として算出する算出手段と、
前記投影手段による前記デバイス白色点および前記環境光の白色点の移動分を示す投影量に基づき、前記部分順応白色点を補正する補正手段とを有することを特徴とする色処理装置。
【請求項３】
さらに、前記補正した部分順応白色点を用いる色処理を行う色処理手段を有することを特徴とする請求項1または請求項2に記載された色処理装置。
【請求項４】
前記曲線は黒体放射軌跡であることを特徴とする請求項1から請求項3の何れか一項に記載された色処理装置。
【請求項５】
前記曲線は昼光軌跡であることを特徴とする請求項1から請求項3の何れか一項に記載された色処理装置。
【請求項６】
前記所定の白色点は、人間が白色と感じる白色点であることを特徴とする請求項1から請求項5の何れか一項に記載された色処理装置。
【請求項７】
前記所定の白色点は、等エネルギ白色点であることを特徴とする請求項1から請求項5の何れか一項に記載された色処理装置。
【請求項８】
前記算出手段は、前記投影白色点および前記所定の白色点の、色温度の逆数の線形和を用いて、前記部分順応白色点の色温度の逆数を算出することを特徴とする請求項1から請求項7の何れか一項に記載された色処理装置。
【請求項９】
入力手段、投影手段、算出手段、補正手段を有する色処理装置の色処理方法であって、
前記入力手段が、デバイス白色点の白色点データを入力し、
前記投影手段が、前記白色点データが示す白色点を色度図上の所定の曲線に投影した投影白色点を計算し、
前記算出手段が、前記投影白色点と前記曲線上の所定の白色点の間の、前記曲線上に位置する点を部分順応白色点として算出し、
前記投影における前記補正手段が、前記デバイス白色点の移動分を示す投影量に基づき、前記部分順応白色点を補正することを特徴とする色処理方法。
【請求項１０】
入力手段、投影手段、算出手段、補正手段を有する色処理装置の色処理方法であって、
前記入力手段が、デバイス白色点の白色点データ、および、環境光の白色点データを入力し、
前記投影手段が、前記白色点データが示す白色点を色度図上の所定の曲線に投影した投影白色点を計算し、
前記算出手段が、前記デバイス白色点に対応する投影白色点、前記環境光に対応する投影白色点、および、前記曲線上の所定の白色点の間の、前記曲線上に位置する点を部分順応白色点として算出し、
前記補正手段が、前記投影における前記デバイス白色点および前記環境光の白色点の移動分を示す投影量に基づき、前記部分順応白色点を補正することを特徴とする色処理方法。
【請求項１１】
コンピュータを、請求項1から請求項8の何れか一項に記載された色処理装置の各手段として機能させることを特徴とするプログラム。
【手続補正２】
【補正対象書類名】明細書
【補正対象項目名】００１１
【補正方法】変更
【補正の内容】
【００１１】
本発明にかかる色処理は、デバイス白色点の白色点データを入力し、前記白色点データが示す白色点を色度図上の所定の曲線に投影した投影白色点を計算し、前記投影白色点と前記曲線上の所定の白色点の間の、前記曲線上に位置する点を部分順応白色点として算出し、前記投影における前記デバイス白色点の移動分を示す投影量に基づき、前記部分順応白色点を補正することを特徴とする。
【手続補正３】
【補正対象書類名】明細書
【補正対象項目名】００１２
【補正方法】変更
【補正の内容】
【００１２】
また、デバイス白色点の白色点データ、および、環境光の白色点データを入力し、前記白色点データが示す白色点を色度図上の所定の曲線に投影した投影白色点を計算し、前記デバイス白色点に対応する投影白色点、前記環境光に対応する投影白色点、および、前記曲線上の所定の白色点の間の、前記曲線上に位置する点を部分順応白色点として算出し、前記投影における前記デバイス白色点および前記環境光の白色点の移動分を示す投影量に基づき、前記部分順応白色点を補正することを特徴とする。
【手続補正４】
【補正対象書類名】明細書
【補正対象項目名】００２９
【補正方法】変更
【補正の内容】
【００２９】
次に、画像処理部20は、順応白色点算出部19が計算した部分順応白色点、および、画像出力装置22の色再現特性を用いた色処理を含む画像処理を入力した画像データに施す(S207)。そして、画像出力部21を介して、画像処理した画像データを画像出力装置22に出力する(S208)。
【手続補正５】
【補正対象書類名】明細書
【補正対象項目名】００３０
【補正方法】変更
【補正の内容】
【００３０】
［ユーザインタフェイス］
ユーザは、図4に示すUIl 301の出力機器選択部303により、画像出力に用いる画像出力装置22を選択する。
【手続補正６】
【補正対象書類名】明細書
【補正対象項目名】００３１
【補正方法】変更
【補正の内容】
【００３１】
ユーザは、出力機器選択部303により、例えばモニタのように、デバイス白色点とデバイス白色以外の白色点をそれぞれ測定する必要があるデバイスを選択した場合は「デバイス白色測定」ボタン304を押してデバイス白色点の測定を指示する。その後、「照明白色測定」ボタン305を押してデバイス白色以外の白色点の測定を指示し、さらに「順応白色点算出」ボタン306を押して部分順応白色点の算出を指示する。
【手続補正７】
【補正対象書類名】明細書
【補正対象項目名】００３２
【補正方法】変更
【補正の内容】
【００３２】
また、ユーザは、プリンタのように、デバイス白色点とデバイス白色以外の白色点をそれぞれ測定する必要がないデバイスを選択した場合は、「デバイス白色測定」ボタン304を押してデバイス白色点の測定を指示する。その後、「順応白色点算出」ボタン306を押して部分順応白色点の算出を指示する。
【手続補正８】
【補正対象書類名】明細書
【補正対象項目名】００３７
【補正方法】変更
【補正の内容】
【００３７】
算出部402は、黒体放射軌跡のu、v値と色温度の関係を示すテーブルを参照して投影後の各白色点に対応する色温度を算出する(S502)。そして、投影後の各白色点の色温度を用いて、式(1)により、部分順応白色点の色温度Tを計算する(S503)。なお、式(1）は、各白色点の色温度の逆数の線形和を用いて、部分順応白色点の色温度の逆数を算出するものである。
1/T = (D/Td + E/Te + I/Ti)/(D + E + I)      …(1)
ただし、D = kpd・L*d
E = kpe・L*e
I = kpi・L*i
ここで、Tは部分順応白色点の色温度
Tdは投影後のデバイス白色点の色温度
Teは投影後のデバイス白色以外の白色点の色温度
Tiは投影後の完全白色点の色温度
Yd ≧ Yeの場合 L*d = 100
Yd ＜ Yeの場合 L*d = (Yd/Ye)1/3
Ye ≧ Ydの場合 L*e = 100
Ye ＜ Ydの場合 L*e = (Ye/Yd)1/3
L*e = 100（定数）
kpd、kpe、kpiは重み係数（定数）
【手続補正９】
【補正対象書類名】明細書
【補正対象項目名】００４８
【補正方法】変更
【補正の内容】
【００４８】
次に、画像処理部20は、RGB値をXYZ値に変換する(S802)。例えば、ステップS801で算出したRGB値がsRGB値の場合はsRGB変換式を用いる変換を行う。そして、RGB値が依存する白色点データを用いて、XYZ値を人間の視覚特性を考慮した知覚色空間の値（例えばJCh値）に変換し(S803)、JCh値を画像出力装置22の色域にマッピングする(S804)。
【手続補正１０】
【補正対象書類名】明細書
【補正対象項目名】００５７
【補正方法】変更
【補正の内容】
【００５７】
UI 301の「デバイス白色測定」ボタン304が押されると、画像処理部20は、白色データ入力部16により、白色データ測定装置13による、第一のデバイスのデバイス白色点の測定結果（白色点データ）を入力する(S1002)。さらに、第二のデバイスのデバイス白色点の測定結果（白色点データ）を入力する(S1003)。なお、プリンタのような画像形成装置のデバイス白色点は、観察環境に無印刷の記録媒体を配置した場合の白色（紙白）を測定すればよい。
【手続補正１１】
【補正対象書類名】明細書
【補正対象項目名】００６０
【補正方法】変更
【補正の内容】
【００６０】
次に、画像処理部20は、順応白色点算出部19が計算した部分順応白色点、および、両デバイスの色再現特性を用いた色処理を含む画像処理を入力した画像データに施し、第一、第二のデバイス用の画像データをそれぞれ生成する(S1007)。そして、画像出力部21を介して、生成した画像データを対応するデバイスに出力する(S1008)。